(57)【要約】【課題】広い下肢空間を確保できるとともに、脚の固定・解除が容易な折り畳みテーブルを提供する。【解決手段】横長矩形状の天板２と、該天板２の左右下部に回動自在に取付けられ立脚位置と折り畳み位置とに移動できる脚３，３と、天板２の後端側に回動自在に垂設された幕板４と、を備え、幕板４の左右端部には、立脚位置の脚３，３を係脱可能に保持する保持手段６，６が設けられている。【選択図】図２
2019107286.tif 000002
【特許請求の範囲】
【請求項１】
横長矩形状の天板と、該天板の左右下部に回動自在に取付けられ立脚位置と折り畳み位置とに移動できる脚と、前記天板の後端側に回動自在に垂設された幕板と、を備え、
前記幕板の左右端部には、前記立脚位置の脚を係脱可能に保持する保持手段が設けられていることを特徴とする折り畳みテーブル。
【請求項２】
前記脚の回動方向と、前記幕板の回動方向とが直交しており、
前記保持手段は、前記立脚位置の脚を左右方向から覆う凹部を備えることを特徴とする請求項１に記載の折り畳みテーブル。
【請求項３】
前記幕板は、前記立脚位置の脚よりも後方側に回動可能であることを特徴とする請求項１または２に記載の折り畳みテーブル。
【請求項４】
前記保持手段は、前記凹部の側部から出没し前記脚の側面に係合して前記脚を固定する方向に付勢手段により付勢される係止片を備えることを特徴とする請求項２または３に記載の折り畳みテーブル。
【請求項５】
前記保持手段は、前記付勢手段の付勢力に対抗して前記係止片を解除位置まで移動させた状態で、前記係止片を解除位置で保持する係留手段を備えることを特徴とする請求項４に記載の折り畳みテーブル。
【請求項６】
前記幕板は、左右の前記折り畳み位置の脚に対して重なるように折り畳み可能であり、前記幕板の折り畳み状態において、前記幕板の自由端の位置が前記天板の奥行方向中央まで達しない寸法に設定されていることを特徴とする請求項１ないし５のいずれかに記載の折り畳みテーブル。
【発明の詳細な説明】
【技術分野】
【０００１】
本発明は、会議等に使用されるテーブルに関し、特に不使用時においてスペースをとらない構造に折り畳むことのできる折り畳みテーブルに関する。
【背景技術】
【０００２】
従来、折り畳みテーブル（以下、単に「テーブル」と表記することもある）のスタッキング形態として、立脚型のスタッキング形態と平置き型のスタッキング形態とがある。立脚型のスタッキング形態としては、床面に対して前後方向に傾斜する脚に対して略平行となるように天板を回動させるとともに、左右の脚をハの字形に回動させることによりテーブルを折り畳み、前方に位置するテーブルのハの字形に配置された左右の脚の内側に、後方に位置するテーブルの左右の脚を隣接させて前後方向にスタッキングする形態が示されている（特許文献１参照）。しかし、立脚型のスタッキング形態においては、折り畳みテーブル上方の空間が利用できず、保管収納スペースの制限がある場合には、平置き型のスタッキング形態が多用されることになる。
【０００３】
平置き型のスタッキング形態においては、脚を天板の下面に沿って折り畳み平板状にした状態のテーブルを上方に積み重ねるようになっており、例えば、特許文献２に示されるように、脚を立脚させるための枢着部や作動稈等から構成されるリンク機構を、天板と脚の間に介在させる構造が一般的である。また、特許文献３には、立脚位置の脚に対して幕板を連結ボルトで固定する構造の折り畳みテーブルが示されている。
【先行技術文献】
【特許文献】
【０００４】
【特許文献１】特開２００８−３６１６１号公報
【特許文献２】実公昭４９−２７６０５号公報
【特許文献３】実願昭５２−１４９９１３号（実開昭５４−７５２０４号）のマイクロフィルム
【発明の概要】
【発明が解決しようとする課題】
【０００５】
しかしながら、特許文献２の折り畳みテーブルに設けられるリンク機構は、脚を斜め方向から確実に支持するには効果的であるが、脚を立脚位置に保持するリンク機構等の調整作業が面倒であり、作業時に指を挟んでしまう虞がある。また、脚を立脚位置に保持するためのリンク機構等により足を自由に伸ばせる下肢空間が制限されてしまうといった問題もある。また、特許文献３の折り畳みテーブル構造は、下肢空間が制限されないといった効果はあるものの、連結ボルトを雌ネジ部にネジ込んで幕板と脚とを固定するネジ止め方式であるため、脚を立脚位置と折り畳み位置とに切り替えるための脚の固定・解除に手間がかかるばかりか、不使用時の連結ボルトの保管も煩雑なものとなっていた。
【０００６】
本発明は、このような問題点に着目してなされたもので、広い下肢空間を確保できるとともに、脚の固定・解除が容易な折り畳みテーブルを提供することを目的とする。
【課題を解決するための手段】
【０００７】
前記課題を解決するために、本発明の折り畳みテーブルは、
横長矩形状の天板と、該天板の左右下部に回動自在に取付けられ立脚位置と折り畳み位置とに移動できる脚と、前記天板の後端側に回動自在に垂設された幕板と、を備え、
前記幕板の左右端部には、前記立脚位置の脚を係脱可能に保持する保持手段が設けられていることを特徴としている。
この特徴によれば、幕板の回動によって幕板に設けられた保持手段を立脚位置の脚に対して接近させ、幕板に設けられる保持手段によって脚を保持することができるため、脚を保持するためのリンク機構等が不要となり、広い下肢空間を確保できるとともに、脚を保持するリンク機構等の調整作業や固定工具等を使用する組み立て作業が不要となるため、脚の固定・解除を容易に行うことができる。
【０００８】
前記脚の回動方向と、前記幕板の回動方向とが直交しており、
前記保持手段は、前記立脚位置の脚を左右方向から覆う凹部を備えることを特徴としている。
この特徴によれば、立脚位置の脚が保持手段の凹部により左右方向から移動規制されるため、脚が立脚位置で安定して保持されるとともに、保持手段と脚との正確な位置合わせが可能となる。
【０００９】
前記幕板は、前記立脚位置の脚よりも後方側に回動可能であることを特徴としている。
この特徴によれば、立脚位置の脚に対して、一時的に幕板を後方側に回動できるため、保持手段の凹部内に脚を挿入しやすくなる。
【００１０】
前記保持手段は、前記凹部の側部から出没し前記脚の側面に係合して前記脚を固定する方向に付勢手段により付勢される係止片を備えることを特徴としている。
この特徴によれば、保持手段の凹部の側部から出没して脚の側面に係合し、付勢手段により脚を固定する方向に付勢される係止片により脚が固定されることにより、保持手段によって脚が保持された状態が維持されるため、保持手段による脚の保持が不意に解除されることを防止できる。
【００１１】
前記保持手段は、前記付勢手段の付勢力に対抗して前記係止片を解除位置まで移動させた状態で、前記係止片を解除位置で保持する係留手段を備えることを特徴としている。
この特徴によれば、係止片を解除位置まで移動させ脚に対する係合を外す操作の完了後も、係留手段により係止片を解除位置で保持することにより、脚に対する係止片の係合が外れた状態が維持されるため、左右方向に長尺に構成されるテーブルの折り畳み作業を一人で行うことができる。
【００１２】
前記幕板は、左右の前記折り畳み位置の脚に対して重なるように折り畳み可能であり、前記幕板の折り畳み状態において、前記幕板の自由端の位置が前記天板の奥行方向中央まで達しない寸法に設定されていることを特徴としている。
この特徴によれば、折り畳んだテーブルを互いの幕板の自由端同士を対向させるように重ね合わせることにより、上下の幕板が入れ子状態になるため、積み重ねたテーブルの厚みが少なくなるばかりか、安定して積み重ね作業を行うことができる。
【図面の簡単な説明】
【００１３】
【図１】本発明の実施例における折り畳みテーブルを示す斜視図である。
【図２】実施例における折り畳みテーブルの構造を示す側面図である。
【図３】脚を立設位置から折り畳み位置に回動させる様子を示す正面図である。
【図４】（ａ）は、立脚位置の脚よりも幕板を後方側に回動させる様子を示す側面図であり、（ｂ）は、幕板を前方側に回動させる様子を示す側面図である。
【図５】（ａ）は、保持部材の構造を示す上面視の断面図であり、（ｂ）は、同じく背面図である。
【図６】（ａ）および（ｂ）は、脚を保持部材に保持する様子を示す上面視の断面図である。
【図７】（ａ）および（ｂ）は、脚を保持部材から解除する様子を示す上面視の断面図である。
【図８】（ａ）および（ｂ）は、脚を保持部材から解除する様子を示す上面視の断面図である。
【図９】折り畳みテーブルの折り畳み操作の手順を示す斜視図である。
【図１０】折り畳みテーブルの折り畳み操作の手順を示す斜視図である。
【図１１】折り畳みテーブルの折り畳み操作の手順を示す斜視図である。
【図１２】折り畳んだテーブルを積み重ねた様子を示す側面図である。
【発明を実施するための形態】
【００１４】
本発明に係る折り畳みテーブルを実施するための形態を実施例に基づいて以下に説明する。
【実施例】
【００１５】
実施例に係る折り畳みテーブルにつき、図１から図１２を参照して説明する。以下、図２の紙面右側を折り畳みテーブルの正面側（前方側）とし、図２の紙面左側を折り畳みテーブルの背面側（後方側）とし、正面側からみて左右側を折り畳みテーブルの左右として説明する。
【００１６】
本実施例の折り畳みテーブル１は、会議等に使用されるテーブルであり、特に不使用時においてスペースをとらない構造に折り畳むことができる。図１に示されるように、折り畳みテーブル１は、左右方向に長尺に構成される上面視横長矩形状の天板２と、天板２の下面２ａの左右端部に設けられる一対の脚３，３と、天板２の下面２ａ（図２参照）の後端側から下方に垂設される幕板４と、から主に構成されている。尚、脚３，３は、略同一構成であるため、天板２の左端部に設けられる脚３について説明し、天板２の右端部に設けられる脚３についての説明を省略する。
【００１７】
図２に示されるように、脚３は、円柱状を成す金属製のパイプから構成され、天板２の下面２ａに沿って前後方向に延びる前部上杆部材３００および後部上杆部材３０１と、前部上杆部材３００の前端部および後部上杆部材３０１の後端部に接合されそれぞれ下方に延びる前杆部材３１および後杆部材３２と、前杆部材３１および後杆部材３２の下端部間に接合され前後方向に延びる下杆部材３３と、から側面視上向き略コ字形に形成されている。尚、脚３の前後方向の長さは、天板２の前後方向の長さよりも短く、かつ脚３の上下方向の長さは、天板２の左右方向の長さの半分よりも短く構成されている（図１０および図１１参照）。
【００１８】
前部上杆部材３００および後部上杆部材３０１の内部には、シャフト３０２，３０２がそれぞれ挿嵌されており、前部上杆部材３００の後端側の開口から後方に向けてシャフト３０２の一部が延出するとともに、後部上杆部材３０１の前端側の開口から前方に向けてシャフト３０２の一部が延出している。
【００１９】
また、前部上杆部材３００および後部上杆部材３０１は、シャフト３０２，３０２の延出部分を天板２の下面２ａに前後方向に離間して設けられる一対の取付部材５，５により、天板２の下面２ａから上下方向に所定間隔離間した位置でそれぞれ左右方向に回動自在に軸支されており、脚３を内方（右方）に回動させることにより、天板２の下面２ａに沿って略平行に折り畳み可能となっている（図３参照）。尚、本実施例では、図３において実線で示されるように、脚３が天板２に対して略垂直となる位置を脚３の立設位置とし、図３において二点鎖線で示されるように、脚３が天板２の下面２ａに沿って略平行となる位置を脚３の折り畳み位置として説明する。
【００２０】
また、図２および図４（ａ）に示されるように、後杆部材３２には、後述する保持部材６の凹部６０ａ（図５参照）により覆われる位置に第１係止孔３２ａおよび第２係止孔３２ｂが設けられている。尚、立設位置の脚３において、第１係止孔３２ａは右方に向けて開放し、第２係止孔３２ｂは後方に向けて開放しており、周方向に略９０°離間して配置されている。
【００２１】
図２に示されるように、シャフト３０２，３０２の間には、円柱状を成す金属製のパイプから構成される中間パイプ３０が配置されている。中間パイプ３０は、前後端部をシャフト３０２，３０２の端部とは連結されておらず、後述する取付部材５，５のカバー部材５０，５０により前後方向から挟み込まれた状態で固定されている。すなわち、中間パイプ３０は、脚３とは別体に構成され、脚３と一緒に回動することはない。
【００２２】
また、図２および図４（ａ）に示されるように、中間パイプ３０には、折り畳み位置の脚３が保持部材６の凹部６０ａにより覆われる位置に第１係止孔３０ａおよび第２係止孔３０ｂが設けられている。尚、立設位置の脚３において、第１係止孔３０ａは右方に向けて開放し、第２係止孔３０ｂは下方に向けて開放しており、周方向に略９０°離間して配置されている。
【００２３】
ここで、取付部材５，５の構造および天板２に対する脚３の取付構造について説明する。尚、取付部材５，５は、略同一構成であるため、天板２の前方側に設けられる取付部材５について説明し、天板２の後方側に設けられる取付部材５についての説明を省略する。
【００２４】
図２および図３に示されるように、取付部材５は、カバー部材５０と挟持部材５１から構成されており、天板２の下面２ａに取付けられることにより、カバー部材５０と挟持部材５１との間にシャフト３０２が圧接状態で挟持されるようになっている。尚、カバー部材５０の左側部には、左方に延びて先端部が上向き鉤状を成すフック５０ｃが形成され、フック５０ｃに対してカバン等の荷物を引っ掛けられるようになっている。
【００２５】
詳しくは、図３に示されるように、取付部材５の内部には、カバー部材５０の内側に形成され下方に凹む正面視半円状の凹部５０ａと、挟持部材５１の下端面に形成され上方に凹む正面視半円状の凹部５１ａとが上下方向に対向配置されることにより、軸受部５２が形成されている。
【００２６】
また、取付部材５は、挟持部材５１の上端面を天板２の下面２ａに当接させた状態で、カバー部材５０の取付フランジ５０ｂを天板２の下面２ａに対してボルト５３，５３，…によりネジ止めして固定されることにより、軸受部５２においてシャフト３０２がカバー部材５０の凹部５０ａと挟持部材５１の凹部５１ａとの間に挟持され、上下方向から強く圧迫されるため、脚３を立設位置から折り畳み位置に左右方向に回動させる際のシャフト３０２に対する摺動抵抗が大きく、脚３の自重や脚３に対する不意な接触等による急激な回動が防止されている。また、折り畳みテーブル１の組み立て作業および折り畳み作業時に脚３が立設位置に維持されやすい。
【００２７】
図２および図３に示されるように、脚３の前杆部材３１および後杆部材３２の下端には、アジャスタ３４，３４が設けられ、アジャスタ３４，３４によりそれぞれ高さ調整を行うことにより、天板２を床等に対して略水平な状態で支持することができる。また、前杆部材３１および後杆部材３２の下端部には、アジャスタ３４，３４と一体に構成され下杆部材３３に沿って前後方向に延びる樹脂製の接地部材３５，３５がそれぞれ設けられている。尚、接地部材３５，３５は、略同一構成であるため、前杆部材３１に設けられる接地部材３５について説明し、後杆部材３２に設けられる接地部材３５についての説明を省略する。
【００２８】
接地部材３５は、底部が平面状に構成されることにより、折り畳みテーブル１の使用時における安定性が高められている。また、接地部材３５には、内方（右方）に突出する上面視略台形状の凸部３５ａが形成され、脚３が折り畳み位置にある状態において、凸部３５ａの先端が天板２の下面２ａに当接することにより脚３の回動を規制し、天板２の下面２ａに対して脚３を略平行に保持できるようになっている（図３および図４参照）。
【００２９】
図２および図３に示されるように、幕板４は、左右方向に長尺に構成される正面視横長矩形状の板材であり、幕板４の上端部には、左右方向に亘って延びる金属製のリンク部材４０が外嵌されている。尚、幕板４の左右方向の長さは、天板２の左右方向の長さと略同一、かつ幕板４の前後方向の長さは、天板２の前後方向の長さの半分よりも短く構成されている。
【００３０】
また、幕板４は、天板２の下面２ａの後方側に設けられる金属製の連結部材４１の下端部に形成される図示しないリンク部に対してリンク部材４０の上端部を係合させることにより、前後方向に回動可能に軸支されている（図４参照）。尚、図４（ａ）に示されるように、幕板４は、立設位置の脚３よりも後方側に回動可能となっている。
【００３１】
また、幕板４の前面４ａの下端（自由端４ｂ）側の左右端部には、立設位置の脚３，３の後杆部材３２，３２をそれぞれ係脱可能に保持する保持部材６，６（保持手段）が設けられている。尚、保持部材６，６は、略同一構成であるため、幕板４の左端側に設けられる保持部材６について説明し、幕板４の右端側に設けられる保持部材６についての説明を省略する。
【００３２】
図２、図３および図５に示されるように、保持部材６は、断面視略台形状の樹脂製のカバー部材６０と、後述するカバー部材６０の収容部６０ｅ内に収容され左右方向にスライド移動可能な樹脂製の係止部材６１と、カバー部材６０の収容部６０ｅ内において係止部材６１を左右方向に付勢するコイルスプリング６２（付勢手段）と、から主に構成されている。尚、以下、図５（ａ）、図６〜図８については、紙面上側を保持部材６の正面側（前方側）とし、紙面左右側を保持部材６の左右として説明する。
【００３３】
図５（ａ）および図５（ｂ）に示されるように、カバー部材６０の前面には、上下方向に亘って後方に凹む上面視略Ｕ字状の凹部６０ａが形成されている。尚、凹部６０ａの曲面部の径は、脚３を構成する円柱状のパイプの径と略同一寸法に構成されている。また、凹部６０ａの上下略中央には、凹部６０ａの左側部において左右方向に貫通してカバー部材６０の収容部６０ｅ内に連通する第１貫通孔６０ｂと、凹部６０ａの左右略中央から右側部にかけて前後方向および左右方向に貫通してカバー部材６０の収容部６０ｅ内に連通する第２貫通孔６０ｃが設けられている。尚、保持部材６は、カバー部材６０の凹部６０ａの左右略中央において上部および下部に設けられる一対の貫通孔６０ｄ，６０ｄに前方側から挿入される図示しないネジ等によりネジ止めされることにより、幕板４の前面４ａに対して固定されている。
【００３４】
また、カバー部材６０の内部には、上下略中央に左右方向に延びる収容部６０ｅが形成され、カバー部材６０の右側部には、開口部６０ｆが形成されており、収容部６０ｅ内に収容される係止部材６１の操作部６１ａにアクセス可能となっている。
【００３５】
係止部材６１は、右端部に設けられる断面視略台形状の操作部６１ａと、操作部６１ａの左側部から左方に延設される係留片６１ｂ（係留手段）と、左端部に設けられる係止片６１ｃと、係止片６１ｃの左側部から左方に突出する円柱形状の突起部６１ｄと、から主に構成され、突起部６１ｄには、カバー部材６０の収容部６０ｅ内に収容されるコイルスプリング６２の右端部が外嵌されている。
【００３６】
コイルスプリング６２は、係止部材６１の突起部６１ｄに右端部を外嵌させた状態で、左端をカバー部材６０の収容部６０ｅの内壁に当接させることにより、収容部６０ｅ内において係止部材６１を右方向に付勢している。
【００３７】
係止部材６１の係留片６１ｂには、先端部に上方に向けて突出する鉤状部６１ｅが形成され、鉤状部６１ｅの左側面はテーパ面６１ｆを成している。また、係留片６１ｂは、カバー部材６０の凹部６０ａに設けられる第２貫通孔６０ｃを介して凹部６０ａ内に右方から出没可能に構成されている。尚、図５（ａ）に示されるように、カバー部材６０の収容部６０ｅ内において、コイルスプリング６２の付勢力により係止部材６１が最も右側に位置した状態では、係留片６１ｂは、カバー部材６０の収容部６０ｅ内に配置されている。
【００３８】
係止部材６１の係止片６１ｃには、先端部に右方に向けて突出する鉤状部６１ｇが形成され、鉤状部６１ｇの右端面はテーパ面６１ｈを成している。また、係止片６１ｃの鉤状部６１ｇは、カバー部材６０の凹部６０ａに設けられる第１貫通孔６０ｂを介して凹部６０ａ内に左方から出没可能に構成されている。尚、図５（ａ）に示されるように、カバー部材６０の収容部６０ｅ内において、コイルスプリング６２の付勢力により係止部材６１が最も右側に位置した状態では、係止片６１ｃの鉤状部６１ｇは、第１貫通孔６０ｂから凹部６０ａ内に突出している。
【００３９】
次いで、保持部材６の凹部６０ａにおける立設位置の脚３の保持構成について説明する。折り畳み位置の脚３を回動させ、保持部材６（カバー部材６０）の凹部６０ａと立設位置の脚３の後杆部材３２とを前後方向に接近させることにより、第１貫通孔６０ｂから凹部６０ａ内に突出する係止部材６１の係止片６１ｃの鉤状部６１ｇに対して後杆部材３２の外周面が当接する。この状態から凹部６０ａ内に後杆部材３２を押し込むことにより、後杆部材３２の外周面が係止片６１ｃの鉤状部６１ｇに形成されるテーパ面６１ｈに沿って摺動するとともに、係止片６１ｃを左方に押圧する力が作用し、カバー部材６０の収容部６０ｅ内に設けられるコイルスプリング６２の付勢力に対抗して係止部材６１が左方にスライド移動する。これにより、係止部材６１の係止片６１ｃは、凹部６０ａに設けられる第１貫通孔６０ｂ内に入り込んだ状態となる（図６（ａ）参照）。
【００４０】
尚、係止部材６１が左方にスライド移動することにより、係留片６１ｂも凹部６０ａに設けられる第２貫通孔６０ｃ内に進行するが、係留片６１ｂは、操作部６１ａの左側部に対して片持ちの状態で延設されているため、後杆部材３２の外周面が係留片６１ｂの鉤状部６１ｅに形成されるテーパ面６１ｆに当接しても後方側に撓ることにより、後杆部材３２の押し込みを邪魔しないように構成されている。
【００４１】
図６（ａ）に示される状態からさらに後杆部材３２を凹部６０ａに対して相対的に近づけると、後杆部材３２の外周面が凹部６０ａの後方側の底部に略当接する位置まで押し込まれ、後杆部材３２の左側部に設けられる第１係止孔３２ａと、係止片６１ｃの鉤状部６１ｇの先端との前後方向の位置が略一致することにより、係止片６１ｃの鉤状部６１ｇがコイルスプリング６２の付勢力を受けて後杆部材３２の第１係止孔３２ａに入り込むように右方へ移動する（図６（ｂ）参照）。
【００４２】
これによれば、後杆部材３２の第１係止孔３２ａに係止片６１ｃの鉤状部６１ｇが係合され、後杆部材３２が凹部６０ａ内から前方側へ抜け出すことが防止される。そのため、折り畳みテーブル１の組立作業時には、図４（ａ）に示されるように、立脚位置の脚３に対して、幕板４を一時的に後方側に回動させた後、幕板４を前方側に回動させて凹部６０ａ内に後杆部材３２を押し込むことにより、保持部材６の凹部６０ａ内で後杆部材３２の第１係止孔３２ａに係止片６１ｃの鉤状部６１ｇが係合させることができるため、簡便な操作で立設位置の脚３を保持部材６により保持することができる。尚、本実施例では、図６（ｂ）に示されるように、後杆部材３２の第１係止孔３２ａに対して係止片６１ｃの鉤状部６１ｇが係合される位置を、係止片６１ｃの係合位置として説明する。
【００４３】
次いで、保持部材６の凹部６０ａにおける立設位置の脚３の保持の解除操作について説明する。図６（ｂ）に示される係止片６１ｃの係合位置から、先ず、カバー部材６０の開口部６０ｆ内に配置される係止部材６１の操作部６１ａを左方に押し込むことにより、係止部材６１がコイルスプリング６２の付勢力に対抗して左方にスライド移動する。このとき、後杆部材３２の第１係止孔３２ａから係止部材６１の係止片６１ｃの鉤状部６１ｇの先端部が抜け出すように左方に移動するとともに、凹部６０ａに設けられる第２貫通孔６０ｃ内に右方から進行した係留片６１ｂの鉤状部６１ｅに形成されるテーパ面６１ｆが後杆部材３２の外周面に当接する。尚、後杆部材３２の第１係止孔３２ａに対する係止片６１ｃの鉤状部６１ｇの係合が維持された状態では、凹部６０ａ内で後杆部材３２が固定されているため、係止部材６１は、係留片６１ｂを後方側に撓らせながら左方にスライド移動する（図７（ａ）参照）。
【００４４】
次に、図７（ａ）に示される状態から係止部材６１の操作部６１ａをさらに左方に押し込むことにより、後杆部材３２の第１係止孔３２ａに対する係止片６１ｃの鉤状部６１ｇの係合が解除され、係止片６１ｃの鉤状部６１ｇが凹部６０ａに設けられる第１貫通孔６０ｂから収容部６０ｅ内に入り込むとともに、後杆部材３２の後方側に設けられる第２係止孔３２ｂと、係留片６１ｂの鉤状部６１ｅの前端部との左右方向の位置が略一致する（図７（ｂ）参照）。
【００４５】
次に、図７（ｂ）に示される状態から係止部材６１の操作部６１ａをさらに左方に押し込むことにより、係留片６１ｂの鉤状部６１ｅの前端部が後杆部材３２の第２係止孔３２ｂに入り込み、係留片６１ｂが弾性復帰することにより前方側に移動する（図８（ａ）参照）。このとき、係止部材６１は、コイルスプリング６２により右方に付勢されることにより、後杆部材３２の第２係止孔３２ｂの右端部に係留片６１ｂの鉤状部６１ｅを当接させた状態で右方に押圧される。
【００４６】
これによれば、後杆部材３２の第２係止孔３２ｂに係留片６１ｂの鉤状部６１ｅが係合され、後杆部材３２が凹部６０ａ内から前方側へ抜け出し難い状態で保持される。尚、本実施例では、図８（ａ）に示されるように、後杆部材３２の第１係止孔３２ａに対する係止片６１ｃの鉤状部６１ｇの係合が解除される位置を、係止片６１ｃの解除位置として説明する。また、後杆部材３２の第２係止孔３２ｂに対して係留片６１ｂの鉤状部６１ｅが係合された位置を、係留片６１ｂの係留位置としても説明する。この係留片６１ｂの係留位置は係止片６１ｃの解除位置ともなっている。
【００４７】
次に、図８（ａ）に示される係留片６１ｂの係留位置（係止片６１ｃの解除位置）から、後杆部材３２を凹部６０ａに対して相対的に遠ざけるように前方側に移動させることにより、後杆部材３２の第２係止孔３２ｂに対する係留片６１ｂの鉤状部６１ｅの係合が解除され、保持部材６，６の凹部６０ａ，６０ａから後杆部材３２，３２を容易に抜き出すことができる。また、係止部材６１は、係留片６１ｂの係合が解除された後、コイルスプリング６２の付勢力により右方にスライド移動し、図５（ａ）に示される位置まで復帰する。
【００４８】
尚、図８（ｂ）に示されるように、後杆部材３２の第２係止孔３２ｂの右端部の開口側（後方側）と、係留片６１ｂの鉤状部６１ｅの前端部との前後方向の位置が略一致した状態において、後杆部材３２の第１係止孔３２ａの後端部は、係止片６１ｃの鉤状部６１ｇの先端よりも前方側に配置されているため、係留片６１ｂの係合が解除された直後に、後杆部材３２の第１係止孔３２ａに対して係止片６１ｃの鉤状部６１ｇが係合しないようになっている。
【００４９】
ここで、折り畳みテーブル１の具体的な折り畳み方法について図９〜図１１を用いて説明する。先ず、図９に示されるように、天板２の下面２ａを上方に向けた状態で、左右一方の保持部材６の係止部材６１の操作部６１ａを押し込むことにより、係止片６１ｃを解除位置に保持する（図８（ａ）参照）。このとき、係留片６１ｂは、係留位置に保持されている。次に、他方の保持部材６の係止部材６１の操作部６１ａを押し込むことにより、係止片６１ｃを解除位置に保持した後、幕板４を後方側に回動させることにより、左右の保持部材６，６の凹部６０ａ，６０ａ内から後杆部材３２，３２を抜き出す（図８（ｂ）参照）。次に、左右の脚３，３をそれぞれ回動させて天板２の下面２ａに対して略平行な折り畳み位置に折り畳む（図１０参照）。最後に、図１１に示されるように、幕板４を前方側に回動させて、折り畳み位置の脚３，３に対して幕板４を重ねるように折り畳む（図４（ｂ）参照）。このとき、幕板４の前面４ａに設けられる保持部材６の凹部６０ａに脚３，３の中間パイプ３０が入り込むようになっており、幕板４を押し込むことにより中間パイプ３０の第１係止孔３０ａに係止片６１ｃの鉤状部６１ｇが係合され、中間パイプ３０に対して幕板４を固定することができる。そのため、運搬時の不意な幕板４および脚３，３の回動を防止することができる。
【００５０】
尚、幕板４は、折り畳み状態において、幕板４の自由端４ｂの位置が天板２の前後方向中央まで達しない寸法（図４（ａ）参照）に構成されているため、図１２に示されるように、折り畳み状態の折り畳みテーブル１，１を互いの幕板４，４の自由端４ｂ，４ｂ同士を前後方向に対向させるように重ね合わせることにより、上下の幕板４，４が入れ子状態になるため、積み重ねた折り畳みテーブル１，１の厚みが少なくなるばかりか、安定して積み重ね作業を行うことができる。
【００５１】
以上説明したように、本実施例の折り畳みテーブル１は、幕板４の回動によって幕板４に設けられた保持部材６，６を立脚位置の脚３，３（後杆部材３２，３２）に対して接近させ、幕板４に設けられる保持部材６，６によって脚を保持することができるため、脚３，３を保持するためのリンク機構等が不要となり、広い下肢空間を確保できるとともに、脚３，３を保持するリンク機構等の調整作業や固定工具等を使用する組み立て作業が不要となるため、脚３，３の固定・解除を容易に行うことができる。また、リンク機構等が不要となるため、折り畳みテーブル１を軽量化することができる。
【００５２】
また、脚３の回動方向と、幕板４の回動方向とが直交しており、保持部材６は、立脚位置の脚３（後杆部材３２）を左右方向から覆う凹部６０ａを備え、立脚位置の脚３が保持部材６の凹部６０ａにより左右方向から移動規制されるため、脚３が立脚位置で安定して保持されるとともに、保持部材６と脚３（後杆部材３２）との正確な位置合わせが可能となる。尚、脚３は、取付部材５，５により天板２の下面２ａに軸支されるため、保持部材６と折り畳み位置の脚３（中間パイプ３０）との正確な位置合わせも可能となる。
【００５３】
また、保持部材６は、凹部６０ａの側部から出没して後杆部材３２の第１係止孔３２ａ
に係合し、コイルスプリング６２により脚３を固定する方向に付勢される係止片６１ｃにより脚３が固定されることにより、保持部材６によって脚３が保持された状態が維持されるため、保持部材６による脚３の保持が不意に解除されることを防止できる。
【００５４】
また、保持部材６は、コイルスプリング６２の付勢力に対抗して係止片６１ｃを解除位置まで移動させ、後杆部材３２の第１係止孔３２ａに対する係合を外す操作の完了後も、係留片６１ｂにより係止片６１ｃを解除位置で保持することにより、後杆部材３２の第１係止孔３２ａに対する係止片６１ｃの係合が外れた状態が維持されるため、左右方向に長尺に構成される折り畳みテーブル１の折り畳み作業を一人で行うことができる。
【００５５】
以上、本発明の実施例を図面により説明してきたが、具体的な構成はこれら実施例に限られるものではなく、本発明の要旨を逸脱しない範囲における変更や追加があっても本発明に含まれる。
【００５６】
例えば、前記実施例では、脚３は、前部上杆部材３００、後部上杆部材３０１、シャフト３０２，３０２、前杆部材３１、後杆部材３２および下杆部材３３と、から側面視上向き略コ字形に構成される態様について説明したが、これに限らず、例えば、脚は、シャフト３０２，３０２の端部と中間パイプ３０が連結されることにより、略矩形状のフレーム構造に構成されてもよく、前杆部材や下杆部材を除いた構造に構成されてもよい。
【００５７】
また、中間パイプ３０には、第１係止孔３０ａ、第２係止孔３０ｂが設けられていなくてもよい。
【符号の説明】
【００５８】
１                折り畳みテーブル
２                天板
３                脚
４                幕板
５                取付部材
６                保持部材（保持手段）
３０              中間パイプ
３０ａ            第１係止孔
３０ｂ            第２係止孔
３２              後杆部材
３２ａ            第１係止孔
３２ｂ            第２係止孔
５０              カバー部材
５１              挟持部材
５２              軸受部
６０              カバー部材
６０ａ            凹部
６０ｂ            第１貫通孔
６０ｃ            第２貫通孔
６０ｅ            収容部
６０ｆ            開口部
６１              係止部材
６１ａ            操作部
６１ｂ            係留片（係留手段）
６１ｃ            係止片
６１ｅ            鉤状部
６１ｇ            鉤状部
６２              コイルスプリング（付勢手段）
３００            前部上杆部材
３０１            後部上杆部材
３０２            シャフト
【図１】
2019107286.tif 000003
【図２】
2019107286.tif 000004
【図３】
2019107286.tif 000005
【図４】
2019107286.tif 000006
【図５】
2019107286.tif 000007
【図６】
2019107286.tif 000008
【図７】
2019107286.tif 000009
【図８】
2019107286.tif 000010
【図９】
2019107286.tif 000011
【図１０】
2019107286.tif 000012
【図１１】
2019107286.tif 000013
【図１２】
2019107286.tif 000014